(57)【特許請求の範囲】
【請求項１】
所定のグループのメンバーが登録した情報を、該グループの各メンバーが閲覧可能に提示する情報共有サービスを介して、上記グループの各メンバーに情報を提示する情報提示装置であって、
上記情報共有サービスを介して上記グループのメンバーに動作制御される電子機器に関する機器関連情報を取得する情報取得部と、
上記機器関連情報を、上記情報共有サービスを介して、上記グループの各メンバーが閲覧可能に提示する情報提示部と、を備え、
上記機器関連情報には、上記電子機器で調理される料理のレシピを当該電子機器にダウンロードさせるための情報と、上記料理の食材リストと、が含まれ、
上記情報提示部は、上記食材リストを上記各メンバーが閲覧および編集可能となるように提示し、
上記情報共有サービスは、上記グループのメンバーが登録したメッセージを時系列で表示させるサービスであり、
上記情報提示部は、上記食材リストを上記メッセージと共に時系列で表示させるか、または、上記食材リストにアクセスするためのリンクを上記メッセージと共に時系列で表示させることを特徴とする情報提示装置。
【請求項２】
上記機器関連情報を生成する情報生成部を備えていることを特徴とする請求項１に記載の情報提示装置。
【請求項３】
上記情報生成部は、上記グループの複数のメンバーがそれぞれ登録した情報をマージして、上記機器関連情報を生成することを特徴とする請求項２に記載の情報提示装置。
【請求項４】
上記機器関連情報には、上記電子機器に所定の情報がダウンロードされたことを示す情報が含まれることを特徴とする請求項１から３の何れか１項に記載の情報提示装置。
【請求項５】
上記情報提示部は、上記情報共有サービスを介して、上記電子機器に対応するアバターからのメッセージと共に上記食材リストへのリンクを提示することを特徴とする請求項１から４の何れか１項に記載の情報提示装置。
【請求項６】
上記機器関連情報には、上記グループのメンバーが登録した料理を示す情報が含まれることを特徴とする請求項５に記載の情報提示装置。
【請求項７】
所定のグループのメンバーが登録した情報を、該グループの各メンバーが閲覧可能に提示する情報共有サービスを介して取得し、自装置のユーザに提示する端末装置であって、
上記ユーザが上記グループのメンバーである場合に、上記情報共有サービスを介して当該グループのメンバーに動作制御される電子機器に関する機器関連情報を、上記情報共有サービスを介して取得する情報取得部と、
上記情報取得部が取得した上記機器関連情報を表示する情報表示部と、を備え、
上記機器関連情報には、上記電子機器で調理される料理のレシピを当該電子機器にダウンロードさせるための情報と、上記料理の食材リストと、が含まれ、
上記情報共有サービスは、上記グループのメンバーが登録したメッセージを時系列で表示させるサービスであり、
上記情報表示部は、上記食材リストを上記メッセージと共に時系列で表示させるか、または、上記食材リストにアクセスするためのリンクを上記メッセージと共に時系列で表示させることを特徴とする端末装置。
【請求項８】
所定のグループのメンバーが登録した情報を、該グループの各メンバーが閲覧可能に提示する情報共有サービスを介して、上記グループの各メンバーに情報を提示する情報提示システムであって、
上記情報共有サービスを介して制御される電子機器に関する機器関連情報を取得して、該機器関連情報を、上記情報共有サービスを介して、上記グループの各メンバーが閲覧可能に提示する情報提示装置と、
上記情報提示装置が提示する上記機器関連情報を表示する端末装置と、を含み、
上記機器関連情報には、上記電子機器で調理される料理のレシピを当該電子機器にダウンロードさせるための情報と、上記料理の食材リストと、が含まれ、
上記端末装置は、上記食材リストを上記メンバーが閲覧および編集可能となるように提示し、
上記情報共有サービスは、上記グループのメンバーが登録したメッセージを時系列で表示させるサービスであり、
上記端末装置は、上記食材リストを上記メッセージと共に時系列で表示させるか、または、上記食材リストにアクセスするためのリンクを上記メッセージと共に時系列で表示させることを特徴とする情報提示システム。
【請求項９】
所定のグループのメンバーが登録した情報を、該グループの各メンバーが閲覧可能に提示する情報共有サービスを介して、上記グループの各メンバーに情報を提示する情報提示装置の制御方法であって、
上記情報共有サービスを介して上記グループのメンバーに動作制御される電子機器に関する機器関連情報を取得する情報取得ステップと、
上記機器関連情報を、上記情報共有サービスを介して、上記グループの各メンバーが閲覧可能に提示する情報提示ステップと、を含み、
上記機器関連情報には、上記電子機器で調理される料理のレシピを当該電子機器にダウンロードさせるための情報と、上記料理の食材リストと、が含まれ、
上記情報提示ステップでは、上記食材リストを上記各メンバーが閲覧および編集可能となるように提示し、
上記情報共有サービスは、上記グループのメンバーが登録したメッセージを時系列で表示させるサービスであり、
上記情報提示ステップでは、上記食材リストを上記メッセージと共に時系列で表示させるか、または、上記食材リストにアクセスするためのリンクを上記メッセージと共に時系列で表示させることを特徴とする情報提示装置の制御方法。
【請求項１０】
請求項１に記載の情報提示装置としてコンピュータを機能させるための制御プログラムであって、上記情報取得部および上記情報提示部としてコンピュータを機能させるための制御プログラム。
【請求項１１】
請求項７に記載の端末装置としてコンピュータを機能させるための制御プログラムであって、上記情報取得部および上記情報表示部としてコンピュータを機能させるための制御プログラム。
【発明の詳細な説明】
【技術分野】
【０００１】
本発明は、家電機器に関する情報を提示する情報提示装置等に関する。
【背景技術】
【０００２】
従来、ＳＮＳ（social networking service）等において、登録メンバー内でメッセージを共有するシステムが提供されている。また、家電機器を擬人化して登録メンバーに含め、人間と同様にＳＮＳにメッセージを投稿可能とする機能を提供しているシステムも存在する。
【０００３】
また、ネットワークを介して家電機器に情報を送信する技術も存在する。例えば、特許文献１、３には、ネットワークを介して調理情報を調理機器に送信する技術が開示されている。さらに特許文献２には、調理機器の稼働情報から調理レシピ（調理情報）を選定し、端末装置に送信する技術が開示されている。
【先行技術文献】
【特許文献】
【０００４】
【特許文献１】特開２００５−３７０６６号公報（2005年2月10日公開）
【特許文献２】特開２００２−２６９４３８号公報（2002年9月20日公開）
【特許文献３】特開２００３−３０７３１３号公報（2003年10月31日公開）
【発明の概要】
【発明が解決しようとする課題】
【０００５】
しかしながら、上述した従来技術では、調理情報が調理機器や端末装置に配信されるのみであり、調理情報が配信されたこと、およびその内容を複数のメンバーで共有することはできない。そして、調理情報を共有することができなければ、様々な不都合が生じる。
【０００６】
例えば、登録メンバーにお父さんとお母さんがおり、お父さんが調理情報を取得（ダウンロード）した場合、料理をするのがお母さんであれば、お母さんがダウンロードに気付かなければ、その調理情報の料理は作られないことになってしまう。また、お父さんからお母さんにダウンロードの通知を電子メール等で送信することも考えられるが、このような登録メンバーに対する個別の通知は煩雑な処理であり、ユーザにとって煩わしい。
【０００７】
本発明は、上記問題に鑑みてなされたものであり、その目的は、ユーザに煩雑な操作を強いることなく、所定のグループの各メンバーが電子機器に関する情報を適宜閲覧できるようにすることのできる情報提示装置等を提供することにある。
【課題を解決するための手段】
【０００８】
上記の課題を解決するために、本発明の一態様に係る情報提示装置は、所定のグループのメンバーが登録した情報を、該グループの各メンバーが閲覧可能に提示する情報共有サービスを介して、上記グループの各メンバーに情報を提示する情報提示装置であって、上記情報共有サービスを介して上記グループのメンバーに動作制御される電子機器に関する機器関連情報を取得する情報取得部と、上記機器関連情報を、上記情報共有サービスを介して、上記グループの各メンバーが閲覧可能に提示する情報提示部と、を備えている。
【０００９】
また、本発明の一態様に係る電子機器は、上記の課題を解決するために、所定のグループのメンバーが登録した情報を、該グループの各メンバーが閲覧可能に提示する情報共有サービスを介して、上記グループのメンバーに動作制御される電子機器であって、上記電子機器に関する機器関連情報が、上記情報共有サービスを介して上記グループの各メンバーが閲覧可能に提示されたことを、自機器のユーザに報知する報知部を備えている。
【００１０】
そして、本発明の一態様に係る端末装置は、上記の課題を解決するために、所定のグループのメンバーが登録した情報を、該グループの各メンバーが閲覧可能に提示する情報共有サービスを介して取得し、自装置のユーザに提示する端末装置であって、上記ユーザが上記グループのメンバーである場合に、上記情報共有サービスを介して当該グループのメンバーに動作制御される電子機器に関する機器関連情報を、上記情報共有サービスを介して取得する情報取得部と、上記情報取得部が取得した上記機器関連情報を表示する情報表示部と、を備えている。
【００１１】
また、本発明の一態様に係る情報提示システムは、上記の課題を解決するために、所定のグループのメンバーが登録した情報を、該グループの各メンバーが閲覧可能に提示する情報共有サービスを介して、上記グループの各メンバーに情報を提示する情報提示システムであって、上記情報共有サービスを介して制御される電子機器に関する機器関連情報を取得して、該機器関連情報を、上記情報共有サービスを介して、上記グループの各メンバーが閲覧可能に提示する情報提示装置と、上記情報提示装置が提示する上記機器関連情報を表示する端末装置と、を含む。
【００１２】
そして、本発明の一態様に係る情報提示装置の制御方法は、上記の課題を解決するために、所定のグループのメンバーが登録した情報を、該グループの各メンバーが閲覧可能に提示する情報共有サービスを介して、上記グループの各メンバーに情報を提示する情報提示装置の制御方法であって、上記情報共有サービスを介して上記グループのメンバーに動作制御される電子機器に関する機器関連情報を取得する情報取得ステップと、上記機器関連情報を、上記情報共有サービスを介して、上記グループの各メンバーが閲覧可能に提示する情報提示ステップと、を含む。
【発明の効果】
【００１３】
本発明の上記各態様によれば、所定のグループの各メンバーに、特に煩雑な操作を強いることなく、電子機器の制御にも使用できる情報共有サービスを介して、その電子機器の機器関連情報を適宜閲覧させることができるという効果を奏する。
【図面の簡単な説明】
【００１４】
【図１】本発明の実施形態１に係る情報提示システムを構成する各装置の要部構成の一例を示すブロック図である。
【図２】上記実施形態１に係る家族掲示板の概要を説明する図である。
【図３】上記情報提示システムの概要を説明する図である。
【図４】上記実施形態１における、オーブンレンジにレシピをダウンロードする際に端末装置に表示される画面例を示す図である。
【図５】上記実施形態１における、レシピをダウンロードする際のオーブンレンジにおける表示画面例を示す図である。
【図６】上記実施形態１における、ダウンロードボタンを含むレシピ紹介メッセージの一例を示す図である。
【図７】上記実施形態１における、おすすめのレシピの紹介を求めるメッセージの一例を示す図である。
【図８】上記実施形態１における、和食のレシピの紹介を求めるメッセージの一例を示す図である。
【図９】上記実施形態１における、レシピ紹介メッセージを投稿する処理の一例を示すフローチャートである。
【図１０】上記実施形態１における、レシピのダウンロード時の処理の一例を示すフローチャートである。
【図１１】本発明の実施形態２に係る情報提示システムの概要を説明する図である。
【図１２】上記実施形態２において、買い物リストを作成するまでに端末装置に表示される画面例を示す図である。
【図１３】上記実施形態２において、買い物リストを登録する際に端末装置に表示される画面例を示す図である。
【図１４】上記実施形態２において、買い物リストを編集する際に端末装置に表示される画面例を示す図である。
【図１５】上記実施形態２において、家族掲示板への投稿により買い物リストを表示させる際に端末装置に表示される画面例を示す図である。
【図１６】上記実施形態２における、エージェントサーバの要部構成の一例を示すブロック図である。
【図１７】上記実施形態２における、買い物リスト管理情報の一例を示す図である。
【図１８】上記実施形態２における、買い物リストの登録および更新処理の一例を示すフローチャートである。
【図１９】本発明の実施形態３に係る情報提示システムによりユーザに提示されるお気に入りリストの一例を示す図である。
【図２０】情報提示システムを構成する各装置として利用可能なコンピュータの構成を例示したブロック図である。
【発明を実施するための形態】
【００１５】
〔実施形態１〕
以下、本発明の実施の一形態について、図１から図１０に基づいて詳細に説明する。本実施形態の情報提示システムでは、家族掲示板という情報共有サービスを利用してユーザに家庭用電気器具（以下、単に家電、あるいは電子機器と呼ぶ）に関する情報を提示する。なお、この情報共有サービスは、一種のＳＮＳである。
【００１６】
〔家族掲示板の概要〕
そこで、まず、家族掲示板の概要を図２に基づいて説明する。図２は、家族掲示板の概要を説明する図である。情報提示システムには、グループと、グループの構成員（メンバー）と、家電とを登録することができる。そして、登録された１グループにつき、１つの家族掲示板が割り当てられる。また、登録された各メンバーには、そのメンバーを識別する画像として、図示のように個別のアバターが設定され、各メンバーからの投稿メッセージは、家族掲示板において、このアバターからの投稿として書き込まれる。そして、書き込まれたメッセージは、同じグループのメンバーであれば閲覧することができる。なお、詳細は後述するが、家族掲示板では、登録されたメッセージを時系列で表示させる。
【００１７】
例えば、図示の例では、端末装置２Ａを使用するユーザ（お母さん）と、端末装置２Ｂを使用するユーザ（お父さん）が１つのグループのメンバーとして登録されている。この場合、お母さんが家族掲示板に投稿したメッセージは、お母さんのアバターの発言として家族掲示板に書き込まれ、このメッセージはお母さんとお父さんの何れもが閲覧することができる。お父さんが家族掲示板に投稿したメッセージも同様である。
【００１８】
また、グループに登録された家電についても個別のアバターが設定され、家族掲示板には、各家電に関する情報がその家電のアバターからのメッセージとして投稿される。そして、家電と同じグループの各ユーザは、各家電のアバターに対してメッセージを投稿することができ、このメッセージの投稿によって、実際の家電の動作制御を行うことができる。
【００１９】
例えば、図示の例では、３つの家電３Ａ〜３Ｃ（冷蔵庫、オーブンレンジ、洗濯機）が上記ユーザ（お父さん、お母さん）と共に、１つのグループに登録されている。この場合、各家電のアバターは、対応する家電（３Ａ〜３Ｃの何れか）に関するメッセージ（例えば洗濯機であれば選択が終了したことを示すメッセージ）を家族掲示板に投稿する。また、各ユーザ（お父さん、お母さん）は、家族掲示板に家電のアバター向けのメッセージを投稿することにより、そのアバターに対応する家電（３Ａ〜３Ｃの何れか）に所定の動作を実行させることができる。
【００２０】
〔情報提示システムの概要〕
続いて、本実施形態の情報提示システムの概要を図３に基づいて説明する。図３は、情報提示システム７の概要を説明する図である。図示の情報提示システム７は、エージェントサーバ（情報提示装置）１、端末装置２、オーブンレンジ（電子機器）３、レシピサーバ４、および掲示板サーバ５を含む。なお、端末装置２は複数含まれていてもよく、オーブンレンジ３に加えて、またはオーブンレンジ３の代わりに他の家電が含まれていてもよい。
【００２１】
エージェントサーバ１は、情報提示システム７に登録された家電の代わりに、該家電のアバターからのメッセージを家族掲示板に投稿する処理等を行う。また、エージェントサーバ１は、家族掲示板への投稿により、登録された家電に関する機器関連情報を、登録されたグループの各メンバーに提示する。ここでは、オーブンレンジ３という調理家電が登録されているため、オーブンレンジ３で調理される料理に関する情報を機器関連情報とするが、機器関連情報は登録された家電に関連する情報であればよく、この例に限られない。
【００２２】
端末装置２は、家族掲示板へのメッセージの投稿や、家族掲示板に投稿されたメッセージの閲覧に用いられる装置である。なお、図示の例では、携帯型の端末装置２（スマートフォン）を例示しているが、端末装置２は、家族掲示板へのメッセージの投稿や閲覧が可能な装置であればよく、パーソナルコンピュータやテレビジョン受像機等の据え置き型の装置であってもよい。
【００２３】
オーブンレンジ３は、調理用の家電（調理家電）であり、端末装置２のユーザと同じグループとして登録されている。また、オーブンレンジ３は、通常のオーブンレンジとしての加熱調理機能に加えて、外部の装置と通信する機能と、音声発話する機能とを備えている。これにより、オーブンレンジ３は、自機の調理機能に適合したレシピを外部の機器から取得したり、新たなレシピを取得したことをユーザに音声で報知したりすることも可能になっている。
【００２４】
レシピサーバ４は、オーブンレンジ３に適合したレシピを保持しているサーバである。また、レシピサーバ４は、外部の装置と通信する機能と、保持しているレシピの検索機能を備えている。これにより、レシピサーバ４は、保持しているレシピを外部の装置に送信したり、保持しているレシピの中から所定の条件を満たすものを選択して提示したりすることも可能になっている。
【００２５】
掲示板サーバ５は、家族掲示板を管理するサーバである。掲示板サーバ５は、登録された１つのグループに対して１つの家族掲示板を割り当て、そのグループのメンバーおよび家電からのメッセージ（実際にはエージェントサーバ１が投稿）受け付け、その１つの家族掲示板に表示させる。
【００２６】
また、掲示板サーバ５は、家族掲示板において、所定の操作や投稿がなされた場合に、その操作内容等をエージェントサーバ１に通知する。これにより、エージェントサーバ１は、家族掲示板におけるメンバーの操作に対応する処理を実行することができる。例えば、詳細は後述するが、命令が付随したメッセージの投稿がなされた場合、掲示板サーバ５は、その家族掲示板の識別情報（ボードＩＤ）と共に、その命令をエージェントサーバ１に送信する。これにより、エージェントサーバ１は、その家族掲示板に対応するオーブンレンジ３に上記命令の処理を実行させることができる。
【００２７】
以上の構成を備える情報提示システム７では、端末装置２は、家族掲示板に投稿されたメッセージのリンクを辿ることにより、オーブンレンジ３での調理に使用するレシピのダウンロード要求を行うことができる。そして、エージェントサーバ１は、この要求に応じてレシピサーバ４からレシピを取得してオーブンレンジ３に送信する。また、エージェントサーバ１は、レシピの送信が完了すると、図示のように、オーブンレンジ３のアバターからのメッセージとして、オーブンレンジ３にレシピがダウンロードされたことを示すメッセージを家族掲示板に投稿する。
【００２８】
これにより、ユーザは、家族掲示板を介してオーブンレンジ３のアバターと対話する感覚で、所望のレシピをオーブンレンジ３にダウンロードさせ、また、同じ家族掲示板にて、ダウンロードの完了を認識することができる。さらに、同じグループのメンバーであれば、家族掲示板にて、レシピがダウンロードされたことを示すメッセージを閲覧することができるので、グループに登録された家電（オーブンレンジ３）の状況をグループの各メンバーに認識させることもできる。
【００２９】
〔レシピダウンロード時のメッセージ例〕
次に、オーブンレンジ３にレシピをダウンロードする際に家族掲示板に投稿されるメッセージの例を図４に基づいて説明する。図４は、オーブンレンジ３にレシピをダウンロードする際に端末装置２に表示される画面例を示す図である。
【００３０】
同図の（ａ）の例では、レシピを紹介するレシピ紹介メッセージＭ１と、レシピのダウンロード操作を受け付けたことを示す操作受け付けメッセージＭ２とが、家族掲示板のタイムライン上に表示されている。このように、家族掲示板に投稿されたメッセージは、投稿された時間順に並んで（時系列で）表示される。また、各メッセージには、投稿者のアバター（この例ではオーブンレンジ３のアバター）と、投稿者名（この例では「レンジさん」）が含まれている。
【００３１】
さらに、これらのメッセージには、「リンク」と表示されたボタン（以下、リンクボタンと呼ぶ）が含まれており、端末装置２を操作することにより、このボタンを選択して、リンク先の情報を表示させることができるようになっている。
【００３２】
具体的には、これらの例では、リンクボタンを選択した場合に、同図の（ｃ）に示すような、当該レシピ（かぼちゃの煮物）の詳細表示画面が表示される。同図の（ｃ）に示す表示画面例には、当該レシピをダウンロードするための「ダウンロード画面へ」と表示されたボタン（以下、ダウンロードボタンと呼ぶ）が含まれている。このボタンを選択することにより、当該レシピのダウンロードを開始することができる。なお、同図（ｃ）では、家族掲示板における投稿メッセージとは別の画面にレシピの詳細を表示する例を示しているが、家族掲示板における投稿メッセージの１つとして、レシピの詳細をタイムライン上に表示してもよい。
【００３３】
メッセージＭ１（機器関連情報）は、ユーザの投稿に応じて、あるいは所定の条件を満たしたときに自動的に投稿される。一方、メッセージＭ２（機器関連情報）は、レシピのダウンロード操作が行われたときに投稿される。また、図示のメッセージＭ２には、ダウンロード操作を行ったユーザの家族掲示板における登録名（この例では「お父さん」）が含まれている。これにより、家族掲示板にて当該メッセージを見た他のメンバーが、ダウンロード操作を行ったユーザが誰であるかを認識することができる。
【００３４】
この後、レシピのダウンロードが完了すると、同図の（ｂ）に示すように、オーブンレンジ３によるレシピのダウンロードが完了したことを示す送信完了メッセージＭ３（機器関連情報）が投稿される。これにより、端末装置２のユーザは、家族掲示板における一連の投稿にて、レシピのダウンロード操作が受け付けられ、無事にダウンロードが完了したことを、オーブンレンジ３と対話している感覚で知得することができる。
【００３５】
〔オーブンレンジにおける表示例〕
続いて、オーブンレンジ３にレシピをダウンロードする際に、オーブンレンジ３のレンジ表示部３３に表示される画面例を図５に基づいて説明する。図５は、レシピをダウンロードする際のオーブンレンジ３における表示画面例を示す図である。
【００３６】
同図の（ａ）は、ダウンロードの開始から終了までの期間の表示画面の一例を示している。この例では、ダウンロード中であることを示すメッセージおよび画像が表示されていると共に、ダウンロードを中止するための中止ボタンが表示されている。
【００３７】
また、同図の（ｂ）は、ダウンロード終了後の表示画面の一例を示している。この例では、通常の調理に用いるボタンの他、新着メニューのボタンが表示されている。この新着メニューのボタンを選択することにより、同図の（ｃ）に示すような、当該新着メニューの内容の表示画面に遷移する。同図の（ｃ）の表示画面例では、「次へ」のボタンを操作することにより、新着メニューのレシピを順に確認することができ、また「前へ」のボタンを操作することにより、当該レシピを逆順に確認することができる。そして、「決定」のボタンを操作することにより、オーブンレンジ３に当該レシピに従った調理を開始させることができる。
【００３８】
〔リンクを用いずにダウンロードする例〕
次に、リンクを用いずにレシピのダウンロードを行うことができるメッセージの例を図６に基づいて説明する。図６は、ダウンロードボタンを含むレシピ紹介メッセージの一例を示す図である。図示のレシピ紹介メッセージＭ４（機器関連情報）は、オーブンレンジ３のアバターから投稿されており、その投稿日にちなんだレシピを紹介するメッセージを含む。
【００３９】
そして、このレシピ紹介メッセージＭ４には、当該レシピをダウンロードするためのダウンロードボタンが含まれており、このボタンを選択することにより、リンクを経ることなく、当該レシピのダウンロードを開始することができる。
【００４０】
〔レシピ紹介を求めるメッセージの例〕
次に、ユーザ側からレシピ紹介を求めるメッセージの例を図７および図８に基づいて説明する。図７は、おすすめのレシピの紹介を求めるメッセージの一例を示す図であり、図８は、和食のレシピの紹介を求めるメッセージの一例を示す図である。
【００４１】
図７の例では、お父さんとお母さんが家族掲示板でメッセージのやり取りをしている中で、お母さんがおすすめのレシピの紹介を求めるメッセージＭ５を投稿している（同図の（ａ））。このメッセージＭ５には、オーブンレンジ３のレシピのうち、おすすめのレシピの紹介を要求する画像が添付されている。
【００４２】
この画像は、家電毎に予め用意されており、この画像には、当該家電の識別情報と、当該家電あるいはエージェントサーバ１への命令（命令を示すコードでもよい）とが付随している。なお、これらの情報は、例えば画像のヘッダー等に含めておいてもよい。これにより、ユーザは、所望の画像を選択してメッセージに添付し、これを投稿することにより、当該家電あるいはエージェントサーバ１に所定の処理を実行させることができる。
【００４３】
例えば、図７の（ａ）のメッセージＭ５の例では、このメッセージＭ５に添付された画像には、オーブンレンジ３の識別情報と、エージェントサーバ１におすすめのレシピを紹介するメッセージを投稿させる命令とが付随している。これにより、同図の（ｂ）に示すように、オーブンレンジ３のアバターから、おすすめのレシピを紹介するメッセージＭ６（機器関連情報）が投稿される。
【００４４】
また、図８の（ａ）の例では、お父さんの投稿したメッセージＭ７に画像が添付されている。この画像には、オーブンレンジ３の識別情報と、和食のレシピを紹介するメッセージを投稿させる命令とが付随している。よって、この画像を添付したメッセージＭ７の投稿に対し、同図の（ｂ）に示すように、オーブンレンジ３のアバターから、和食のレシピを紹介するメッセージＭ８（機器関連情報）が投稿される。このように、ユーザのニーズに応じた命令を付随させた画像を予め用意しておくことにより、所望のレシピを簡単な操作で紹介させることができる。
【００４５】
〔エージェントサーバの構成〕
次に、情報提示システム７を構成する各装置の構成を図１に基づいて説明する。図１は、情報提示システム７を構成する各装置の要部構成の一例を示すブロック図である。ここでは、まず、エージェントサーバ１の構成を説明する。
【００４６】
エージェントサーバ１は、図示のように、サーバ制御部１０、サーバ記憶部１１、およびサーバ通信部１２を備えている。サーバ制御部１０は、エージェントサーバ１の各部を統括して制御するものであり、サーバ記憶部１１は、エージェントサーバ１が使用する各種データを記憶するものであり、サーバ通信部１２はエージェントサーバ１が外部の装置と通信するためのものである。
【００４７】
また、サーバ制御部１０には、家電制御部１０１、掲示板管理部（情報提示部）１０２、レシピ提示部（情報取得部）１０３、およびレシピ送信部（情報取得部、情報生成部）１０４が含まれている。
【００４８】
家電制御部１０１は、登録された家電に命令を送信して動作制御する。ここでは、オーブンレンジ３が登録された家電であるから、家電制御部１０１は、オーブンレンジ３に命令を送信して動作制御する。動作制御の内容、および動作制御の契機は特に限定されず、例えば、家電制御部１０１は、オーブンレンジ３の庫内クリーニングの実行指示を、家族掲示板へのユーザの投稿に応じて行ってもよいし、ユーザの指示によらず定期的に行ってもよい。
【００４９】
掲示板管理部１０２は、登録された家電に関する機器関連情報を家族掲示板に投稿することにより、該機器関連情報を、登録されたグループの各メンバーが閲覧可能に提示する。また、掲示板管理部１０２は、登録されたグループのメンバーの投稿したメッセージを掲示板サーバ５から取得し、該メッセージに応じた処理を行う。
【００５０】
レシピ提示部１０３は、登録された家電に関する機器関連情報を取得して掲示板管理部１０２に送信する。これにより、この機器関連情報が家族掲示板に投稿され、各メンバーの閲覧に供される。詳細は後述するが、レシピ提示部１０３は、上記機器関連情報として、オーブンレンジ３で調理可能な料理のレシピ（オーブンレンジ３用のレシピ）を紹介するレシピ紹介メッセージを取得する。
【００５１】
レシピ送信部１０４は、オーブンレンジ３で調理可能な料理のレシピを取得し、オーブンレンジ３に送信する。また、レシピ送信部１０４は、登録された家電に関する機器関連情報として、オーブンレンジ３へのレシピの送信が完了したことを示す送信完了メッセージを生成し、これを掲示板管理部１０２に送信する。これにより、該送信完了メッセージが家族掲示板に投稿され、各メンバーの閲覧に供される。
【００５２】
〔端末装置の構成〕
続いて、端末装置２の構成を上記と同じく図１に基づいて説明する。図示のように、端末装置２は、端末制御部２０、端末記憶部２１、端末通信部２２、端末表示部２３、および入力部２４を備えている。端末制御部２０は、端末装置２の各部を統括して制御するものであり、端末記憶部２１は、端末装置２が使用する各種データを記憶するものである。また、端末通信部２２は、端末装置２が外部の装置と通信するためのものであり、端末表示部２３は、端末制御部２０の制御に従って画像を表示するものであり、入力部２４は、端末装置２に対するユーザの入力操作を受け付けるものである。
【００５３】
また、端末制御部２０には、掲示板処理部（情報取得部、情報表示部）２０１が含まれている。掲示板処理部２０１は、端末装置２にて家族掲示板を利用するために必要な処理を行う。具体的には、掲示板処理部２０１は、端末装置２のユーザの識別情報を掲示板サーバ５に送信することにより、該ユーザがメンバーとして登録されている家族掲示板にアクセスする。そして、家族掲示板にアクセスした後は、掲示板サーバ５から取得した家族掲示板の画像（メッセージが時系列に配列された画像）を端末表示部２３に表示させる処理や、入力部２４への入力操作に応じて家族掲示板にメッセージを投稿する処理等を行う。よって、機器関連情報または機器関連情報へのリンクが家族掲示板に投稿されている場合には、掲示板処理部は、機器関連情報を取得する情報取得部として機能すると共に、取得した機器関連情報を表示する情報表示部としても機能する。
【００５４】
〔オーブンレンジの構成〕
続いて、オーブンレンジ３の構成を上記と同じく図１に基づいて説明する。図示のように、オーブンレンジ３は、レンジ制御部３０、レンジ記憶部３１、レンジ通信部３２、レンジ表示部３３、および音声出力部３４を備えている。レンジ制御部３０は、オーブンレンジ３の各部を統括して制御するものであり、レンジ記憶部３１は、オーブンレンジ３が使用する各種データを記憶するものである。また、レンジ通信部３２は、オーブンレンジ３が外部の装置と通信するためのものであり、レンジ表示部３３は、レンジ制御部３０の制御に従って画像を表示するものであり、音声出力部３４は、レンジ制御部３０の制御に従って音声を出力するものである。
【００５５】
また、レンジ制御部３０には、発話制御部（報知部）３０１、レシピ取得部３０２、および履歴送信部３０３が含まれている。
【００５６】
発話制御部３０１は、音声出力部３４に音声を出力させる制御を行う。例えば、発話制御部３０１は、機器関連情報または機器関連情報へのリンクを含むメッセージが家族掲示板に投稿された場合に、そのことをオーブンレンジ３のユーザに報知するメッセージを音声出力させる。なお、メッセージは、オーブンレンジ３の本体から出力されればよく、音声出力に限られない。例えば、レンジ表示部３３にメッセージを表示出力してもよい。また、オーブンレンジ３の本体に設けたランプを点灯あるいは点滅させる等、メッセージ以外による報知も可能である。ただし、表示出力を行う場合、音や光等による報知を併用して、ユーザがメッセージに気付きやすくすることが好ましい。
【００５７】
レシピ取得部３０２は、オーブンレンジ３のレシピをダウンロードに関する処理を行う。具体的には、レシピ取得部３０２は、レンジ通信部３２を介してレシピを受信する処理の他、レシピを受信している期間に、レシピを受信中である旨の画像をレンジ表示部３３に表示させる等の処理を行う。
【００５８】
履歴送信部３０３は、オーブンレンジ３の調理履歴（オーブンレンジ３で使用されたレシピの履歴）をエージェントサーバ１に通知する。なお、通知のタイミングは特に限定されず、調理が実行されたときに通知してもよいし、一日一回等、所定のタイミングで通知してもよい。
【００５９】
〔レシピ紹介メッセージの投稿処理〕
次に、レシピ紹介メッセージを投稿する処理について、図９に基づいて説明する。図９は、レシピ紹介メッセージを投稿する処理（情報提示装置の制御方法）の一例を示すフローチャートである。
【００６０】
レシピ提示部１０３は、予め設定された発話タイミングとなったかを監視しており（Ｓ１）、発話タイミングとなったと判定する（Ｓ１でＹＥＳ）と、レシピが紹介されることをユーザに報知する発話を行うようオーブンレンジ３に指示する（Ｓ２）。
【００６１】
ここでは、オーブンレンジ３の発話制御部３０１は、発話指示の受信後、本体が起動されたタイミングで発話する構成であるため、発話指示は実際に発話させたいタイミングよりも早めに送信しておく。例えば、毎日、昼食向きのレシピと夕食向きのレシピとを自動で投稿する場合、午前５時と、午前１１時に発話指示を送信してもよい。なお、発話タイミングの設定は、エージェントサーバ１で行うようにしてもよいし、オーブンレンジ３で行うようにしてもよい。後者の場合、レシピ提示部１０３は、オーブンレンジ３から発話タイミングの設定を、所定の頻度（例えば一日一回）で取得すればよい。
【００６２】
また、発話内容は、機器関連情報（この例ではオーブンレンジ３のレシピの紹介メッセージ）が投稿されたことを示すものであればよく、特に限定されない。例えば発話制御部３０１は、「家族掲示板で、新しいレシピを紹介したよ。」のようなメッセージを音声出力してもよい。これにより、家族掲示板を見ていなかったメンバーに、レシピ紹介がなされたことを気付かせることができる。
【００６３】
次に、レシピ提示部１０３は、オーブンレンジ３が発話したか否かを判定する（Ｓ３）。なお、オーブンレンジ３の発話制御部３０１は、は、発話指示に従って発話すると、その旨をエージェントサーバ１に通知するので、発話した旨の通知を受信すれば発話したと判定できる。そして、発話したと判定した場合（Ｓ３でＹＥＳ）には、Ｓ５の処理に進み、発話していないと判定した場合（Ｓ３でＮＯ）には、Ｓ４の処理に進む。
【００６４】
Ｓ４では、レシピ提示部１０３は、所定の投稿タイミングとなるのを待機する。つまり、オーブンレンジ３が起動されず、発話がなされなかった場合であっても、レシピ提示部１０３は、所定の投稿タイミングとなったときには、レシピ紹介メッセージを投稿する。所定の投稿タイミングは、ユーザのニーズに応じて設定すればよく、例えば、毎日、昼食向きのレシピと夕食向きのレシピとを自動で投稿する場合、午前９時と、午後３時としてもよい。
【００６５】
Ｓ５（情報取得ステップ）では、レシピ提示部１０３は、レシピサーバ４からレシピ紹介メッセージを取得して掲示板管理部１０２に送る。なお、レシピ紹介メッセージを取得するタイミングは、該メッセージの投稿前であればよく、より早いタイミングで取得しておいてもよい。そして、掲示板管理部１０２は、このレシピ紹介メッセージをオーブンレンジ３のアバターからのメッセージとして家族掲示板（掲示板サーバ５）に投稿し（Ｓ６、情報提示ステップ）、処理を終了する。これにより、グループの各メンバーは、レシピ紹介メッセージを閲覧することが可能になる。
【００６６】
なお、図７の（ａ）や図８の（ａ）に示したような、レシピの紹介を求める画像が添付されたメッセージが投稿された場合、該画像は掲示板サーバ５からエージェントサーバ１に送信される。そして、掲示板管理部１０２は、この画像に付随する命令が、レシピを紹介するメッセージを投稿させる命令であれば、その旨をレシピ提示部１０３に通知し、この後は、上述のＳ５およびＳ６の処理により、レシピ紹介メッセージが投稿される。
【００６７】
また、レシピ提示部１０３は、オーブンレンジ３の使用状況に応じたレシピを紹介できるように、オーブンレンジ３の履歴送信部３０３から調理履歴を取得し、これをレシピサーバ４に送信してもよい。これにより、過去に利用されていないレシピを紹介することや、ユーザの好みに応じたジャンルのレシピを優先して紹介すること等が可能になる。この他にも、レシピ提示部１０３は、メンバーの予定や記念日、天気予報などをレシピサーバ４に送信してもよい。これにより、これらの条件に応じたレシピを紹介することも可能になる。
【００６８】
そして、レシピサーバ４は、レシピ提示部１０３から通知される各種情報（発話タイミングや投稿タイミングの設定、調理履歴等）に基づいて、適切なタイミングでレシピ検索を行い、紹介するレシピを決定することが好ましい。例えば、発話タイミングが午前５時と午前１１時に設定されている場合、これより早い時間（例えば、午前３時と午前９時）にレシピ検索を行うことが好ましい。
【００６９】
また、レシピ検索の条件は、通知された調理履歴等に基づいて設定することが好ましい。なお、レシピ検索の他の条件としては、検索した日のイベント（祭事、行事、暦）に関連する、検索した時期に旬な食材を使用している、人気のある（調理履歴に含まれる頻度が高い）、料理のジャンル（和食、洋食、中華、等）のように様々なものを適用できる。なお、複数のレシピが検出された場合には、予め設定された優先条件に従って、何れのレシピを紹介するか、またどのような順序で紹介するかを決定すればよい。
【００７０】
〔レシピのダウンロード時の処理〕
次に、レシピのダウンロード時の処理について、図１０に基づいて説明する。図１０は、レシピのダウンロード時の処理の一例を示すフローチャートである。なお、同図の（ａ）は、エージェントサーバ１の処理（情報提示装置の制御方法）を示し、同図の（ｂ）はオーブンレンジ３の処理を示しており、ここでは同図の（ａ）を先に説明し、続いて同図の（ｂ）を説明する。
【００７１】
レシピ送信部１０４は、レシピのダウンロード操作が行われたかを監視している（Ｓ１１）。なお、レシピのダウンロード操作は、例えば図４の（ｃ）や図６のダウンロードボタンを選択する操作であってもよい。そして、このような操作が行われたことは、レシピサーバ４や掲示板サーバ５からの通知で特定することができる。
【００７２】
ここで、レシピのダウンロード操作が行われたと判定すると（Ｓ１１でＹＥＳ）、レシピ送信部１０４は、操作受け付けメッセージを取得する（Ｓ１２、情報取得ステップ）。なお、操作受け付けメッセージは、図４の（ａ）のＭ２のようなメッセージであってもよい。また、このメッセージは、レシピ送信部１０４が、所定のテンプレートにダウンロード操作を行ったユーザの登録名を埋め込むことによって生成してもよい。また、登録名を含まないメッセージであれば、予めサーバ記憶部１１等に記憶してあるものを読み出してもよいし、外部の装置から取得してもよい。
【００７３】
続いて、レシピ送信部１０４は、取得したメッセージを掲示板管理部１０２に送り、掲示板管理部１０２は、このメッセージをオーブンレンジ３のアバターからのメッセージとして家族掲示板（掲示板サーバ５）に投稿する（Ｓ１３、情報提示ステップ）。また、レシピ送信部１０４は、ダウンロード操作の対象となったレシピをレシピサーバ４から取得して、オーブンレンジ３に送信する（Ｓ１４）。
【００７４】
最後に、レシピ送信部１０４は、図４の（ｂ）のＭ３のような送信完了メッセージを取得して（Ｓ１５、情報取得ステップ）、掲示板管理部１０２に送る。なお、送信完了メッセージは、予めサーバ記憶部１１等に記憶してあるものを取得してもよいし、外部の装置から取得してもよい。そして、掲示板管理部１０２は、このメッセージをオーブンレンジ３のアバターからのメッセージとして家族掲示板（掲示板サーバ５）に投稿し（Ｓ１６、情報提示ステップ）、これにより処理は終了する。
【００７５】
次に、同図の（ｂ）を参照してオーブンレンジ３の実行する処理を説明する。レシピ取得部３０２は、同図の（ａ）のＳ１４で送信されたレシピの受信を開始すると（Ｓ２１）、例えば図５の（ａ）のような、レシピを受信中である旨の画像をレンジ表示部３３に表示させる（Ｓ２２）。
【００７６】
この後、レシピの受信が終了する（Ｓ２３）と、レシピ取得部３０２は、例えば図５の（ｂ）のような、新着メニュー（レシピ）があることを示す画像をレンジ表示部３３に表示させる（Ｓ２４）。この後、レシピ取得部３０２は、オーブンレンジ３の本体が起動されるのを待ち受け（Ｓ２５）、起動されたことを確認すると（Ｓ２５でＹＥＳ）、発話制御部３０１に指示して、新着メニュー（レシピ）がダウンロードされた旨の発話を行わせ、これにより処理は終了する。なお、発話内容は、新着メニュー（レシピ）がダウンロードされたことをユーザが認識できるようなものであればよく、例えば「ダウンロードメニューがあるよ」等であってもよい。これにより、家族掲示板を見ていないユーザに対しても、ダウンロードメニューがあることを気付かせることができる。
【００７７】
〔実施形態２〕
本発明の他の実施形態について、図１１〜図１８に基づいて説明すれば、以下のとおりである。なお、説明の便宜上、上記実施形態にて説明した部材と同じ機能を有する部材については、同じ符号を付記し、その説明を省略する。
【００７８】
〔情報提示システムの概要〕
まず、本実施形態の情報提示システムの概要を図１１に基づいて説明する。図１１は、本実施形態の情報提示システム７の概要を説明する図である。図示の情報提示システム７は、上記実施形態の情報提示システムと概ね同様の構成であるが、エージェントサーバ１がエージェントサーバ（情報提示装置）５００に変わっている点で相違している。
【００７９】
エージェントサーバ５００は、エージェントサーバ１と同様に、登録された家電の代わりに、該家電のアバターからのメッセージを家族掲示板に投稿する処理等を行う。また、エージェントサーバ５００は、家族掲示板への投稿により、登録された家電に関する機器関連情報を、登録されたグループの各メンバーに提示する。ただし、提示する機器関連情報が、家族掲示板の登録メンバー間で共有できる買い物リストである点で、エージェントサーバ５００はエージェントサーバ１と相違している。
【００８０】
より詳細には、エージェントサーバ５００には、レシピサーバ４の提供するレシピの食材（オーブンレンジ３で調理される料理の食材）を買い物リストとして登録することができる。そして、エージェントサーバ５００は、登録された買い物リストについて、該買い物リストを登録したメンバーと同じグループのメンバーであれば、家族掲示板経由で閲覧し、また編集することを可能にする。
【００８１】
例えば、図１１の例では、端末装置２Ａのユーザがレシピサーバ４にて所望のレシピを見つけ、そのレシピに必要な食材を買い物リストとしてエージェントサーバ５００に登録している。これにより、当該ユーザと同じグループに属する端末装置２Ｂのユーザは、家族掲示板における、オーブンレンジ３のアバターのメッセージに含まれるリンクから、登録された買い物リストを閲覧することができるようになる。
【００８２】
このように、本実施形態の情報提示システムによれば、家族掲示板における、オーブンレンジ３のアバターのメッセージを介して、買い物リストを参照することができる。この買い物リストを参照できるユーザは、予め登録されたメンバーのみであるから、安全に安心して情報の共有が可能である。
【００８３】
また、本実施形態の情報提示システムによれば、調理家電であるオーブンレンジ３のアバターにより、オーブンレンジ３を用いた調理に関するメッセージが投稿される。これにより、家族掲示板を閲覧するメンバーは、リンク先を参照するまでもなく、調理に関するメッセージが投稿されたことを即時に認識することができる。
【００８４】
〔買い物リストの生成手順〕
次に、買い物リストの生成手順を図１２および図１３に基づいて説明する。図１２は、買い物リストを作成するまでに端末装置２に表示される画面例を示す図であり、図１３は、買い物リストを登録する際に端末装置２に表示される画面例を示す図である。
【００８５】
図１２の（ａ）の例では、クリスマスにちなんだ複数のレシピを紹介するレシピ紹介メッセージＭ１０（機器関連情報）が家族掲示板のタイムライン上に表示されている。また、このレシピ紹介メッセージＭ１０には、これらのレシピの詳細を確認するためのリンクボタンが含まれている。
【００８６】
このリンクボタンを選択すると、図１２の（ｂ）に示すような、レシピ紹介メッセージＭ１０に含まれていた各レシピがリスト表示された画面が表示される。なお、この画面は、レシピサーバ４が表示させてもよい。また、エージェントサーバ５００がレシピサーバ４から必要な情報を取得し、該情報を用いて掲示板サーバ５に投稿を行うことにより、同様の画面を家族掲示板のタイムラインに表示させてもよい。
【００８７】
そして、図１２の（ｂ）の画面から、所望のレシピが選択されると、同図の（ｃ）に示すような、当該レシピの詳細表示画面が表示される。この詳細表示画面には、レシピの画像、食材、作り方等の他、このレシピのダウンロードボタン、このレシピをお気に入りに追加するためのボタン、およびこのレシピの買い物リストを作成するためのボタンが含まれている。
【００８８】
これらのボタンのうち、買い物リストを作成するためのボタンを選択することにより、図１３の（ａ）に示すような、買い物リスト登録画面が表示される。この買い物リスト登録画面には、選択したレシピの食材がリストアップされていると共に、リストアップされた食材のそれぞれについて、その食材を買い物リストに追加するためのチェックボックス（選択項目）が表示されている。
【００８９】
この登録画面において、レシピの料理を作るために必要な食材のうち、買う必要のあるものについてチェックボックスにチェックを入れて、「リストを保存」のボタンを選択する。これにより、同図の（ｂ）に示すような、選択した食材がリストアップされた買い物リストが生成され、保存される。
【００９０】
同図の（ｂ）の買い物リストには、レシピ名と、そのレシピの料理を作るために買う必要のある食材と、その分量が含まれている。この買い物リストは、グループのメンバーであれば誰でも閲覧することができるため、例えば家にいるメンバーが外出先のメンバー等に買い物を依頼するときに便利である。また、同図の（ｂ）の買い物リストでは、各食材について、対応するチェックボックスが表示されている。このチェックボックスについては、図１４に基づいて後述する。
【００９１】
〔買い物リストの編集〕
次に、買い物リストの編集について、図１４に基づいて説明する。図１４は、買い物リストを編集する際に端末装置２に表示される画面例を示す図である。
【００９２】
グループの何れかのメンバーが買い物リストを保存した後、該メンバーまたは他のメンバーがレシピの詳細表示画面を表示させると、買い物リストを作成するためのボタン（図１２の（ｃ）参照）の代わりに、買い物リストを編集するためのボタンが表示される。
【００９３】
このボタンを選択すると、図１４の（ｂ）に示すように、作成済みの買い物リストが表示される。上述のように、買い物リストに含まれる各食材には、対応するチェックボックスが表示されており、買い物リストを表示させたユーザはこのチェックボックスにチェックを入れることができる。そして、チェックを入れた状態で、「リストから削除」のボタンを選択することにより、チェックを入れた食材を買い物リストから削除することができる。
【００９４】
つまり、買い物をするユーザは、購入済みの食材にチェックを入れて「リストから削除」のボタンを選択することにより、購入済みの食材を買い物リストから削除することができる。これにより、買っていない食材のみが買い物リストに残ることになるので、買い忘れなく必要な食材を買い揃えることができる。また、複数のメンバーが個別に買い物に行った場合に、他のメンバーが購入していない食材を容易に特定することができる。
【００９５】
〔買い物リストを表示させる他の例〕
上記の例では、レシピ詳細表示画面から買い物リストを表示させているが、家族掲示板への投稿により買い物リストを表示させてもよい。これについて、図１５に基づいて説明する。図１５は、家族掲示板への投稿により買い物リストを表示させる際に端末装置２に表示される画面例を示す図である。
【００９６】
同図の（ａ）には、買い物リストの閲覧を要求するメッセージを作成中の画面例を示している。この例では、買い物リストの閲覧を希望していることを示すメッセージがユーザに入力されている。そして、このメッセージについて、買い物リストの閲覧を要求する所定の画像が添付画像として選択されている。この画像は、オーブンレンジ３に対応する画像であり、この画像には、エージェントサーバ１に買い物リストへのリンクを含むメッセージを投稿させる命令が付随している。
【００９７】
このメッセージを送信することにより、同図の（ｂ）に示すように、このメッセージがメッセージＭ１１として家族掲示板のタイムライン上に表示される。また、このメッセージに添付された画像に基づき、エージェントサーバ１が、買い物リストへのリンクを含むメッセージＭ１２を投稿し、これが家族掲示板のタイムライン上に表示される。そして、ユーザは、メッセージＭ１２のリンクボタンを選択することにより、図１３の（ｂ）に示したような買い物リストを表示させることができる。なお、買い物リストは、家族掲示板を介して閲覧可能に提示すればよく、家族掲示板のタイムライン上に直接表示させてもよい。
【００９８】
〔エージェントサーバの構成〕
次に、エージェントサーバ５００の構成を図１６に基づいて説明する。図１６は、エージェントサーバ５００の要部構成の一例を示すブロック図である。図示のように、エージェントサーバ５００のサーバ制御部１０には、家電制御部１０１、掲示板管理部（情報提示部）５０１、および買い物リスト管理部（情報取得部、情報生成部）５０２が含まれている。また、サーバ記憶部１１には、買い物リスト管理情報５１１が格納されている。なお、エージェントサーバ５００は、図１のエージェントサーバと同様に、レシピ提示部１０３やレシピ送信部１０４を備えていてもよい。
【００９９】
掲示板管理部５０１は、掲示板管理部１０２と同様に、登録された家電に関する機器関連情報を家族掲示板に投稿することにより、該機器関連情報を、登録されたグループの各メンバーが閲覧可能に提示する。上述のように、本実施形態で提示する機器関連情報は、買い物リストである。また、掲示板管理部５０１、登録されたグループのメンバーの投稿したメッセージを掲示板サーバ５から取得し、該メッセージに応じた処理を行う。
【０１００】
買い物リスト管理部５０２は、買い物リストを管理するものであり、買い物リストの生成、更新、削除、提示等の制御を行う。買い物リスト管理部５０２は、このような管理を行うために買い物リスト管理情報５１１を生成する。
【０１０１】
買い物リスト管理情報５１１は、買い物リストを生成し、端末装置２に表示させるための情報である。買い物リスト管理情報５１１は、例えば図１７のような情報であってもよい。図１７は、買い物リスト管理情報５１１の一例を示す図である。図示の買い物リスト管理情報５１１は、ボードＩＤとレシピＩＤとレシピ名と食材とが対応付けられたテーブル形式の情報である。
【０１０２】
ボードＩＤは、家族掲示板を識別するＩＤであり、レシピＩＤは、レシピを識別するＩＤであり、レシピ名は、そのレシピに設定された名称である。食材は、そのレシピに使用する各食材と、その分量を示す情報である。買い物リスト管理部５０２は、このような買い物リスト管理情報５１１を参照することにより、図１３の（ｂ）に示したような買い物リストを生成し、端末装置２に表示させることができる。
【０１０３】
〔買い物リストの登録および更新処理〕
次に、買い物リストの登録および更新処理について、図１８を参照して説明する。図１８は、買い物リストの登録および更新処理の一例を示すフローチャートである。
【０１０４】
掲示板管理部５０１は、家族掲示板において、レシピのリンクを選択する操作が行われたかを監視している（Ｓ３１）。なお、レシピのリンクを選択する操作は、例えば図１２の（ａ）のリンクボタンを選択する操作であってもよい。そして、このような操作が行われたことは、掲示板サーバ５からの通知で特定することができる。
【０１０５】
ここで、レシピのリンクを選択する操作が行われたと判定した場合（Ｓ３１でＹＥＳ）、掲示板管理部５０１は、当該操作を行ったメンバーの属するグループのボードＩＤをレシピサーバ４に送信する（Ｓ３２）。
【０１０６】
また、買い物リスト管理部５０２は、買い物リストの登録指示を待ち受けている（Ｓ３３）。なお、買い物リストの登録指示は、例えば図１２の（ｃ）の画面から「買い物リスト」のボタンが操作されたときに、レシピサーバ４から送信される。また、この際に、レシピサーバ４は、「買い物リスト」のボタンが操作されたレシピの食材をエージェントサーバ５００に通知する。
【０１０７】
ここで、買い物リストの登録指示を受信した場合（Ｓ３３でＹＥＳ）、買い物リスト管理部５０２は、図１３の（ａ）のような、レシピサーバ４から通知された食材がリストアップされた買い物リスト登録画面を生成する。そして、これを端末装置２に送信して表示させる（Ｓ３４）。これにより、端末装置２の掲示板処理部２０１によって、買い物リスト登録画面が端末表示部２３に表示される。
【０１０８】
この後、端末装置２の掲示板処理部２０１は、表示させた食材リストから食材の選択を受け付ける（Ｓ３５）。具体的には、掲示板処理部２０１は、図１３の（ａ）のような買い物リスト登録画面において、食材のチェックボックスにチェックを入れる操作を受け付ける。
【０１０９】
そして、掲示板処理部２０１は、チェックの入った食材を買い物リストとして保存する操作が行われるのを待ち受ける（Ｓ３６）。例えば、図１３の（ａ）のような買い物リスト登録画面を表示させた場合、食材のチェックボックスにチェックが入った状態で「リストを保存」のボタンが操作されたときに、当該食材を買い物リストとして保存する操作が行われたと判定する。
【０１１０】
ここで、保存する操作が行われなかった場合（Ｓ３６でＮＯ）、買い物リストは登録されることなく処理は終了する。一方、保存する操作が行われた場合（Ｓ３６でＹＥＳ）、掲示板処理部２０１は、買い物リストに登録する食材（チェックボックスにチェックの入った食材）をエージェントサーバ５００に通知する。そして、買い物リスト管理部５０２は、通知された食材をボードＩＤと対応付け、買い物リスト管理情報５１１としてサーバ記憶部１１に保存する（Ｓ３７）。なお、この際に、レシピＩＤとレシピ名も対応付けて保存してもよく、この場合、図１７のような買い物リスト管理情報５１１が保存される。
【０１１１】
続いて、買い物リスト管理部５０２は、買い物リストを取得し（Ｓ３９）、取得した買い物リストを端末装置２に送信して表示させる（Ｓ４０）。具体的には、買い物リスト管理部５０２は、保存した買い物リスト管理情報５１１から読み出した情報を元に、図１３の（ｂ）に示すような買い物リストの表示画面を生成し、端末装置２に送信する。これにより、端末装置２の掲示板処理部２０１によって、買い物リストが端末表示部２３に表示される。なお、買い物リストの表示画面は、上記のように買い物リスト管理部５０２が生成することによって取得してもよいし、予め生成してサーバ記憶部１１等に格納しておき、そこから取得してもよい。
【０１１２】
次に、端末装置２の掲示板処理部２０１は、表示させた買い物リストの食材の選択を受け付け（Ｓ４１）、更新操作が行われたか判定する（Ｓ４２）。ここで、更新操作が行われなければ（Ｓ４２でＮＯ）、買い物リストは更新されずに処理は終了する。一方、更新操作が行われた場合（Ｓ４２でＹＥＳ）、掲示板処理部２０１は、Ｓ４１で選択を受け付けた食材をエージェントサーバ５００に通知する。そして、エージェントサーバ５００の買い物リスト管理部５０２は、通知された食材を買い物リスト管理情報５１１から削除し、これにより買い物リストが更新されて（Ｓ４３）、処理は終了する。
【０１１３】
また、買い物リストが登録された後、レシピのリンクが選択された場合（Ｓ３１）、Ｓ３２において、掲示板管理部５０１は、その買い物リストに登録済みのレシピのレシピＩＤについてもレシピサーバ４に送信する。この場合、レシピサーバ４は、図１４の（ａ）に示したような、「買い物リスト編集」ボタンを含むレシピ詳細画面を端末装置２に表示させる。そして、このボタンが操作された旨が端末装置２から通知されると、買い物リスト管理部５０２は、買い物リストは登録しないと判定し（Ｓ３３でＮＯ）、買い物リストを編集すると判定する（Ｓ３８でＹＥＳ）。この後は、上述のＳ３９以降の処理が行われ、ユーザ操作に応じて買い物リストが更新される。なお、買い物リストに含まれる食材の全てが削除された場合、買い物リスト管理部５０２は、その買い物リストを削除する。
【０１１４】
なお、Ｓ３８でＹＥＳの場合に、リンク先のレシピが、買い物リストへの登録がなされていないレシピであれば、Ｓ３４の処理に戻ってもよい。これにより、登録済みの買い物リストに含まれる食材に、他のレシピの食材を追加することができる。つまり、買い物リスト管理部５０２は、グループの複数のメンバーがそれぞれ登録した情報をマージして１つの買い物リストを生成してもよい。
【０１１５】
〔実施形態３〕
本実施形態では、お気に入りリスト管理部を備え、機器関連情報としてお気に入りリストを、家族掲示板を介して閲覧可能に提示するエージェントサーバを含む情報提示システムの例を説明する。本実施形態の情報提示システムによれば、登録されたグループのメンバー間でお気に入りのレシピを共有することができる。なお、本実施形態のエージェントサーバは、お気に入りリスト管理部を備えている点を除けば、上記実施形態のエージェントサーバ１または５００と同様の構成であり、本実施形態の情報提示システムも上記実施形態の情報提示システム７と同様である。
【０１１６】
お気に入りリスト管理部は、オーブンレンジ３で調理される料理のうち、登録されたグループのメンバーがお気に入りに登録したレシピ（料理）のリストであるお気に入りリストの生成および管理を行う。お気に入りリストは、グループのメンバーが登録したレシピ（料理）を参照できるようなリストであればよい。
【０１１７】
ここで、お気に入りリストについて図１９に基づいて説明する。図１９は、お気に入りリストの表示例を示す図である。同図の（ａ）のお気に入りリストは、お気に入りに登録された各レシピの画像とレシピ名を示すリストである。このお気に入りリストから、レシピの画像またはレシピ名を選択することによって、同図の（ｂ）に示すように、そのレシピの詳細が表示される。この詳細表示画面では、「お気に入り削除」のボタンを選択することにより、当該レシピをお気に入りリストから削除することができる。また、「買い物リスト」のボタンを選択することにより、当該レシピの買い物リストを生成することもできる。
【０１１８】
上記実施形態で説明した買い物リストと同様に、あるメンバーがレシピをお気に入りに登録することによってお気に入りリストが生成され、その後、他のメンバーがレシピをお気に入りに登録したときには、そのレシピが生成済みのお気に入りリストに追加される。つまり、各メンバーのお気に入り登録したレシピのリストがマージされて１つのお気に入りリストとして管理される。
【０１１９】
お気に入りリストの生成および編集は、上記実施形態で説明した買い物リストと同様にして行うことができる（図１８参照）。例えば、お気に入りリスト管理部は、図１２の（ｃ）に示すレシピ詳細の表示画面において、「お気に入り」ボタンが操作されたときに、当該レシピを構成要素とするお気に入りリストを生成してもよい。また、お気に入りリスト管理部は、既にお気に入りリストが生成されている状態で、「お気に入り」ボタンが操作されたときには、当該レシピを生成済みのお気に入りリストにマージ（追加）してもよい。
【０１２０】
また、お気に入りリストを表示させる方法としても、上記実施形態で説明した買い物リストと同様に、様々な方法が適用可能である。例えば、上記のようにレシピ詳細の表示画面から表示させる以外にも、図１５の例のように、家族掲示板にお気に入りリストの表示を求める画像を添付したメッセージを投稿することによって、お気に入りリストを表示させることができるようにしてもよい。また、お気に入りリストは、家族掲示板のタイムライン上に表示してもよいし、図１５の（ｂ）の買い物リストの例のように、家族掲示板のタイムライン上のリンクにより、お気に入りリストを閲覧できるようにしてもよい。
【０１２１】
〔変形例〕
上記各実施形態では、所定の画像を添付したメッセージの投稿によって、エージェントサーバ１やエージェントサーバ５００に所定の処理を実行させる例を示したが、家族掲示板を介して処理を実行させる方法はこの例に限られない。例えば、投稿されたメッセージの内容を解析し、その解析結果に応じた処理が実行されるようにしてもよい。具体例を挙げれば、図１５の例のように、買い物リストを見せて欲しい旨のメッセージが投稿された場合、このメッセージを解析することにより、「買い物リスト」を「見せる」ことが求められていると特定することができる。よって、画像を添付せずに、このような文面のメッセージが投稿された場合に、買い物リストを表示させることができる。
【０１２２】
また、上記各実施形態では、情報共有サービスの一例として家族掲示板を挙げて説明を行ったが、本発明に適用可能な情報共有サービスは、家族掲示板のようなメッセージを投稿する方式のものに限られない。すなわち、本発明に適用される情報共有サービスは、所定のグループのメンバーが登録した情報を、該グループの各メンバーが閲覧可能に提示するサービスであればよく、例えばメンバーがメモやスケジュールなどを登録する情報共有サービスであってもよい。
【０１２３】
さらに、上記各実施形態では、家族掲示板を介して動作制御される機器がオーブンレンジである例を説明したが、動作制御の対象となる機器はメンバーに関連する機器であればよく、特に限定されない。例えば、上述の各例のように家族の構成員をメンバーとして登録する場合、動作制御の対象となる機器を家庭内で使用される機器としてもよい。具体的には、例えば冷蔵庫、空調装置、ＩＨ調理器、およびテレビジョン受像機等が挙げられる。なお、どのような機器であっても、その機器が実行する処理の内容は上記各実施形態で説明したオーブンレンジ３と概ね同様である。
【０１２４】
また、動作制御の対象となる機器が複数登録されている場合、各機器に関連する情報をマージして機器関連情報を生成し、これをメンバーに提示してもよい。例えば、空調装置は室温を計測する機能を備えているから、グループに登録された空調装置は、計測した室温をエージェントサーバ１に通知してもよい。また、グループに登録された冷蔵庫が、庫内の食材を管理する機能を備えている場合、庫内の食材を示す情報をエージェントサーバ１に送信してもよい。エージェントサーバ１のレシピ提示部１０３は、これらの情報を参照することにより、気温に応じたレシピや、冷蔵庫内の食材で調理できるレシピ、あるいは気温に応じ、かつ冷蔵庫内の食材で調理できるレシピを機器関連情報として提示することができる。
【０１２５】
なお、複数の機器で取得された各情報を用いて機器関連情報を生成する場合、各機器に関する情報は、何れかの機器が集約してエージェントサーバ１に送信してもよい。例えば、空調装置は、室温が所定値以上である場合、冷蔵庫に対して、該冷蔵庫に格納されている食材の問い合わせを送信することによって、食材リストを取得し、取得した食材リストを室温のデータと共にエージェントサーバ１に送信してもよい。このような構成であっても、エージェントサーバ１のレシピ提示部１０３は、受信した食材リストと室温のデータに応じたレシピを機器関連情報として提示することができる。
【０１２６】
また、お気に入りリストに登録されたレシピを考慮して、提示する機器関連情報を決定してもよい。例えば、お気に入りリストに登録されたレシピのうち、気温に応じたレシピや、冷蔵庫内の食材で調理できるレシピ、あるいは気温に応じ、かつ冷蔵庫内の食材で調理できるレシピを機器関連情報として提示してもよい。これにより、その日の温度に応じ、冷蔵庫の食材を用いたレシピであって、ユーザの好みに合うレシピを提示することができる。
【０１２７】
〔実施形態４〕
上記各実施形態では、１つのエージェントサーバ１または５００を用いる例を説明したが、エージェントサーバ１または５００の有する各機能が、個別のサーバにて実現されていてもよい。そして、複数のサーバを適用する場合においては、各サーバは、同じ事業者によって管理されていてもよいし、異なる事業者によって管理されていてもよい。また、逆に、エージェントサーバ１または５００が、他のサーバ（レシピサーバ４、掲示板サーバ５）の何れかまたは両方の機能を備えていてもよい。
【０１２８】
〔実施形態５〕
エージェントサーバ１、５００、端末装置２、およびオーブンレンジ３の各ブロックは、集積回路（ＩＣチップ）等に形成された論理回路（ハードウェア）によって実現してもよいし、ＣＰＵ（Central Processing Unit）を用いてソフトウェアによって実現してもよい。後者の場合、エージェントサーバ１、５００、端末装置２、およびオーブンレンジ３のそれぞれを、図２０に示すようなコンピュータ（電子計算機）を用いて構成することができる。
【０１２９】
図２０は、エージェントサーバ１、５００、端末装置２、またはオーブンレンジ３として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばＣＰＵ、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、エージェントサーバ１、５００の入力装置９２０は、キーボード、マウス、タッチセンサなどであってもよく、エージェントサーバ１、５００の出力装置９３０は、ディスプレイ、プリンタ、スピーカなどであってもよい。また、端末装置２やオーブンレンジ３では、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【０１３０】
補助記憶装置９１４には、コンピュータ９１０をエージェントサーバ１、５００、端末装置２、またはオーブンレンジ３として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、エージェントサーバ１、５００、端末装置２、またはオーブンレンジ３が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。
【０１３１】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【０１３２】
〔まとめ〕
本発明の態様１に係る情報提示装置（エージェントサーバ１、５００）は、所定のグループのメンバーが登録した情報を、該グループの各メンバーが閲覧可能に提示する情報共有サービス（家族掲示板）を介して、上記グループの各メンバーに情報を提示する情報提示装置であって、上記情報共有サービスを介して上記グループのメンバーに動作制御される電子機器（オーブンレンジ３）に関する機器関連情報（レシピ紹介メッセージ、操作受け付けメッセージ、送信完了メッセージ、買い物リスト、お気に入りリスト）を取得する情報取得部（レシピ提示部１０３、レシピ送信部１０４、買い物リスト管理部５０２、お気に入りリスト管理部）と、上記機器関連情報を、上記情報共有サービスを介して、上記グループの各メンバーが閲覧可能に提示する情報提示部（掲示板管理部１０２、５０１）と、を備えている。
【０１３３】
上記の構成によれば、情報共有サービスを介して制御される電子機器に関する機器関連情報を、その情報共有サービスを介して、所定のグループの各メンバーが閲覧可能に提示する。よって、各メンバーは、特に煩雑な操作を行うことなく、電子機器の制御にも使用できる情報共有サービスを介して、その電子機器の機器関連情報を適宜閲覧することができる。
【０１３４】
本発明の態様２に係る情報提示装置は、上記態様１において、上記機器関連情報を生成する情報生成部（レシピ送信部１０４、買い物リスト管理部５０２、お気に入りリスト管理部）を備えていてもよい。これにより、生成した機器関連情報を所定のグループの各メンバーに提示することができる。
【０１３５】
本発明の態様３に係る情報提示装置は、上記態様２において、上記情報生成部は、上記グループの複数のメンバーがそれぞれ登録した情報をマージして、上記機器関連情報を生成してもよい。これにより、グループの複数のメンバーがそれぞれ登録した情報を、機器関連情報というまとまりのある情報として、当該グループの各メンバーに提示することができる。
【０１３６】
本発明の態様４に係る情報提示装置は、上記態様１から３の何れかにおいて、上記機器関連情報は、上記電子機器に所定の情報（レシピ）がダウンロードされたことを示す情報（送信完了メッセージ）であってもよい。これにより、電子機器に所定の情報がダウンロードされたことを所定のグループの各メンバーに認識させることができる。
【０１３７】
本発明の態様５に係る情報提示装置は、上記態様１から４の何れかにおいて、上記機器関連情報は、上記グループのメンバーに関連する料理に関する情報（レシピ紹介メッセージ、操作受け付けメッセージ、送信完了メッセージ、買い物リスト、お気に入りリスト）であってもよい。
【０１３８】
これにより、グループのメンバーに関連する料理に関する情報をそのグループの各メンバーに提示することができる。特に、所定のグループが、家族のような食事を共にするグループであれば、グループのメンバーに関連する料理に関する情報は、メンバーの共通の関心事であるから、このような情報を提示することのメリットが大きい。
【０１３９】
なお、グループのメンバーに関連する料理に関する機器関連情報とは、機器と料理の双方に関する情報である。例えば、上記電子機器が調理家電や調理器具であれば、これらを用いて調理される料理に関する情報を機器関連情報としてもよい。また、例えば、上記電子機器が冷蔵庫であれば、庫内に格納されている食材は、グループのメンバーが作る料理に関連しているから、庫内の食材を示す情報を機器関連情報としてもよい。この他にも、空調装置が計測した室温や湿度等の情報や、テレビ番組の内容等は、グループのメンバーがどのような料理を食べたいと思うかに関連するから、このような情報を機器関連情報としてもよい。
【０１４０】
本発明の態様６に係る情報提示装置は、上記態様５において、上記機器関連情報は、上記グループのメンバーが登録した料理を示す情報（お気に入りリスト）であってもよい。
【０１４１】
これにより、グループのメンバーが注目している料理を他のメンバーに提示することができる。例えば、献立を決める際に、この情報を参照することにより、メンバーの嗜好に応じた料理を作ることが可能になる。
【０１４２】
本発明の態様７に係る情報提示装置は、上記態様５において、上記機器関連情報は、上記グループのメンバーに関連する料理の食材を示す情報（買い物リスト）であってもよい。これにより、上記グループのメンバーに関連する料理の食材を各メンバーに提示することができる。よって、各メンバーにその食材を調達してもらい、その食材を使って料理を作ることも可能になる。
【０１４３】
本発明の態様８に係る情報提示装置は、上記態様１から７の何れかにおいて、上記情報共有サービスは、上記グループのメンバーが登録したメッセージを時系列で表示させるサービス（家族掲示板）であり、上記情報提示部は、上記機器関連情報を上記メッセージと共に時系列で表示させてもよい。
【０１４４】
上記の構成によれば、機器関連情報をグループのメンバーが登録したメッセージと共に時系列で表示させる。よって、メンバーが登録したメッセージの閲覧と同じ感覚で、またそのようなメッセージを閲覧しながら機器関連情報を閲覧させることができる。
【０１４５】
本発明の態様９に係る情報提示装置は、上記態様１から７の何れかにおいて、上記情報共有サービスは、上記グループのメンバーが登録したメッセージを時系列で表示させるサービス（家族掲示板）であり、上記情報提示部は、上記機器関連情報にアクセスするためのリンクを上記メッセージと共に時系列で表示させてもよい。
【０１４６】
上記の構成によれば、機器関連情報にアクセスするためのリンクをグループのメンバーが登録したメッセージと共に時系列で表示させる。よって、メンバーが登録したメッセージを閲覧しているメンバーにリンクの存在を認識させることができ、これにより、該メンバーがリンクを辿って機器関連情報を閲覧することが可能になる。
【０１４７】
本発明の態様１０に係る電子機器は、所定のグループのメンバーが登録した情報を、該グループの各メンバーが閲覧可能に提示する情報共有サービスを介して、上記グループのメンバーに動作制御される電子機器であって、上記電子機器に関する機器関連情報が、上記情報共有サービスを介して上記グループの各メンバーが閲覧可能に提示されたことを、自機器の本体にてユーザに報知する報知部を備えている。
【０１４８】
上記の構成によれば、機器関連情報が、情報共有サービスを介して上記グループの各メンバーが閲覧可能に提示されたことを報知する。よって、態様１の情報提示装置と同様の効果に加えて、ユーザに情報共有サービスを介して機器関連情報を閲覧する契機を与えることができるというさらなる効果を奏する。
【０１４９】
本発明の態様１１に係る端末装置は、所定のグループのメンバーが登録した情報を、該グループの各メンバーが閲覧可能に提示する情報共有サービスを介して取得し、自装置のユーザに提示する端末装置であって、上記ユーザが上記グループのメンバーである場合に、上記情報共有サービスを介して当該グループのメンバーに動作制御される電子機器に関する機器関連情報を、上記情報共有サービスを介して取得する情報取得部と、上記情報取得部が取得した上記機器関連情報を表示する情報表示部と、を備えている。よって、態様１の情報提示装置と同様の効果を奏する。
【０１５０】
本発明の態様１２に係る情報提示システムは、所定のグループのメンバーが登録した情報を、該グループの各メンバーが閲覧可能に提示する情報共有サービスを介して、上記グループの各メンバーに情報を提示する情報提示システムであって、上記情報共有サービスを介して制御される電子機器に関する機器関連情報を取得して、該機器関連情報を、上記情報共有サービスを介して、上記グループの各メンバーが閲覧可能に提示する情報提示装置と、上記情報提示装置が提示する上記機器関連情報を表示する端末装置と、を含む。よって、態様１の情報提示装置と同様の効果を奏する。
【０１５１】
本発明の態様１３に係る情報提示装置の制御方法は、所定のグループのメンバーが登録した情報を、該グループの各メンバーが閲覧可能に提示する情報共有サービスを介して、上記グループの各メンバーに情報を提示する情報提示装置の制御方法であって、上記情報共有サービスを介して上記グループのメンバーに動作制御される電子機器に関する機器関連情報を取得する情報取得ステップと、上記機器関連情報を、上記情報共有サービスを介して、上記グループの各メンバーが閲覧可能に提示する情報提示ステップと、を含む。よって、態様１の情報提示装置と同様の効果を奏する。
【０１５２】
本発明の各態様に係る情報提示装置、端末装置、および電子機器は、コンピュータによって実現してもよく、この場合には、コンピュータを上記情報提示装置、端末装置、または電子機器が備える各部（ソフトウェア要素）として動作させることにより上記情報提示装置、端末装置、または電子機器をコンピュータにて実現させる上記情報提示装置の制御プログラム、端末装置の制御プログラム、および電子機器の制御プログラム、そしてそれを記録したコンピュータ読み取り可能な記録媒体も、本発明の範疇に入る。
【０１５３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１５４】
本発明は、ＳＮＳ等の情報共有サービスを利用してユーザに情報を提示する装置等に利用することができる。
【符号の説明】
【０１５５】
１  エージェントサーバ（情報提示装置）
１０２  掲示板管理部（情報提示部）
１０３  レシピ提示部（情報取得部）
１０４  レシピ送信部（情報取得部、情報生成部）
２  端末装置
２０１  掲示板処理部（情報取得部、情報表示部）
３  オーブンレンジ（電子機器、調理家電）
３０１  発話制御部（報知部）
７  情報提示システム
５００  エージェントサーバ（情報提示装置）
５０１  掲示板管理部（情報提示部）
５０２  買い物リスト管理部（情報取得部、情報生成部）
【図１】
0006270749.tif 000002
【図２】
0006270749.tif 000003
【図３】
0006270749.tif 000004
【図４】
0006270749.tif 000005
【図５】
0006270749.tif 000006
【図６】
0006270749.tif 000007
【図７】
0006270749.tif 000008
【図８】
0006270749.tif 000009
【図９】
0006270749.tif 000010
【図１０】
0006270749.tif 000011
【図１１】
0006270749.tif 000012
【図１２】
0006270749.tif 000013
【図１３】
0006270749.tif 000014
【図１４】
0006270749.tif 000015
【図１５】
0006270749.tif 000016
【図１６】
0006270749.tif 000017
【図１７】
0006270749.tif 000018
【図１８】
0006270749.tif 000019
【図１９】
0006270749.tif 000020
【図２０】
0006270749.tif 000021